(57)【特許請求の範囲】
【請求項１】
土砂に少なくとも合成樹脂発泡体の小片を混合した混合軽量土からなる盛土を施工する際に、
前記盛土を形成する混合軽量土の全部を、透水性合成繊維シートでくるみ込むことを特徴とする、混合軽量土からなる盛土の保持方法。
【請求項２】
前記盛土を形成する混合軽量土の全部を前記透水性合成繊維シートでくるみ込む際に、複数段に分けてくるみ込むことを特徴とする、請求項１記載の混合軽量土からなる盛土の保持方法。
【請求項３】
前記盛土を形成する混合軽量土の全部を前記透水性合成繊維シートでくるみ込む際に、一段でくるみ込むことを特徴とする、請求項１記載の混合軽量土からなる盛土の保持方法。
【請求項４】
土砂に少なくとも合成樹脂発泡体の小片を混合した混合軽量土からなる盛土を施工する際に、
前記盛土に法面がある場合には少なくともその法面を形成する部分を含めて、前記盛土を形成する混合軽量土の一部を、透水性合成繊維シートでくるみ込むことを特徴とする、混合軽量土からなる盛土の保持方法。
【請求項５】
前記盛土を形成する混合軽量土の一部を前記透水性合成繊維シートでくるみ込む際に、複数段に分けてくるみ込むことを特徴とする、請求項４記載の混合軽量土からなる盛土の保持方法。
【請求項６】
前記盛土を形成する混合軽量土の一部を前記透水性合成繊維シートでくるみ込む際に、一段でくるみ込むことを特徴とする、請求項４記載の混合軽量土からなる盛土の保持方法。
【発明の詳細な説明】
【０００１】
【産業上の利用分野】
この発明は、土砂に合成樹脂発泡体の小片を混合し、あるいはそれにさらに合成繊維やセメント等を混合した混合軽量土からなる、主として建設工事にて施工される盛土（埋戻しも含む）をその施工後に保持して、混合軽量土の、盛土法面からの崩落や盛土表面からの飛散を防止する方法に関するものである。
【０００２】
【従来の技術】
上述の如き混合軽量土は、土砂に合成樹脂発泡体の小片を混合していることから、通常の土と比較すると結合力が低いため、盛土の施工後に法面からの崩落や表面からの飛散を生じ易く、それゆえその崩落や飛散を防止すべく、結合材料としての合成繊維や固化材料としてのセメント等をさらに混合していることが多いが、より確実に上記崩落や飛散を防止するため、従来は、混合軽量土の表面上にさらに通常の土を盛ってその表面を隈なく覆うことで、混合軽量土の保持を図っていた。
【０００３】
【発明が解決しようとする課題】
しかしながら、かかる従来の保持方法では、盛土を軽量化するという混合軽量土の本来の目的に反して、混合軽量土の表面を覆う土によって盛土が重くなってしまうという問題があった。
【０００４】
【課題を解決するための手段】
この発明は上記課題を有利に解決した保持方法を提供するものであり、この発明の混合軽量土からなる盛土の保持方法の第１の方法は、土砂に少なくとも合成樹脂発泡体の小片を混合した混合軽量土からなる盛土を施工する際に、前記盛土を形成する混合軽量土の全部を、透水性合成繊維シートでくるみ込むことを特徴とするものである。
【０００５】
そしてこの第１の保持方法においては、前記盛土を形成する混合軽量土の全部を前記透水性合成繊維シートでくるみ込む際に、複数段に分けてくるみ込むこととしても良い。
【０００６】
またこの第１の保持方法においては、前記盛土を形成する混合軽量土の全部を前記透水性合成繊維シートでくるみ込む際に、一段でくるみ込むこととしても良い。
【０００７】
この一方この発明の混合軽量土からなる盛土の保持方法の第２の方法は、土砂に少なくとも合成樹脂発泡体の小片を混合した混合軽量土からなる盛土を施工する際に、前記盛土に法面がある場合には少なくともその法面を形成する部分を含めて、前記盛土を形成する混合軽量土の一部を、透水性合成繊維シートでくるみ込むことを特徴とするものである。
【０００８】
そしてこの第２の保持方法においては、前記盛土を形成する混合軽量土の一部を前記透水性合成繊維シートでくるみ込む際に、複数段に分けてくるみ込むこととしても良い。
【０００９】
またこの第２の保持方法においては、前記盛土を形成する混合軽量土の一部を前記透水性合成繊維シートでくるみ込む際に、一段でくるみ込むこととしても良い。
【００１０】
そして上記第１および第２の保持方法のいずれにおいても、前記透水性合成繊維シートを、織布状もしくはトリコット状のものとしても良い。
【００１１】
また上記第１および第２の保持方法のいずれにおいても、前記透水性合成繊維シートを、グリッド状のものとしても良い。
【００１２】
【作用】
土砂に少なくとも合成樹脂発泡体の小片を混合した混合軽量土からなる盛土を施工する際に、前記第１の方法に基づいて、前記盛土を形成する混合軽量土の全部を、透水性合成繊維シートでくるみ込むこととすれば、通常の土で覆うよりは極めて軽量となるその透水性合成繊維シートでの被覆によって、混合軽量土の盛土法面からの崩落や盛土表面からの飛散を確実に防止しつつ、盛土の軽量化を達成することができる。
【００１３】
そして前記盛土を形成する混合軽量土の全部を前記透水性合成繊維シートでくるみ込む際に、複数段に分けてくるみ込むこととすれば、盛土が高い場合でもそのくるみ込みの施工を確実に行うことができる。
【００１４】
また前記盛土を形成する混合軽量土の全部を前記透水性合成繊維シートでくるみ込む際に、一段でくるみ込むこととすれば、盛土が低い場合に、そのくるみ込みの施工を短時間で行うことができる。
【００１５】
一方、土砂に少なくとも合成樹脂発泡体の小片を混合した混合軽量土からなる盛土を施工する際に、前記第２の方法に基づいて、前記盛土に法面がある場合には少なくともその法面を形成する部分を含めて、前記盛土を形成する混合軽量土の一部を、透水性合成繊維シートでくるみ込むこととすれば、透水性合成繊維シートの使用量を必要最小限とし得るので、盛土に法面がある場合に少なくともその法面を形成している部分を含めて、透水性合成繊維シートでくるみ込んだ部分の混合軽量土の崩落や飛散を確実に防止しつつ、盛土の軽量化を達成することができ、しかも、施工に要する材料費を少なく抑えることができる。
【００１６】
そして前記盛土を形成する混合軽量土の一部を前記透水性合成繊維シートでくるみ込む際に、複数段に分けてくるみ込むこととすれば、盛土が高い場合でもそのくるみ込みの施工を確実に行うことができる。
【００１７】
また前記盛土を形成する混合軽量土の一部を前記透水性合成繊維シートでくるみ込む際に、一段でくるみ込むこととすれば、盛土が低い場合に、そのくるみ込みの施工を短時間で行うことができる。
【００１８】
そして上記第１および第２の保持方法のいずれにおいても、前記透水性合成繊維シートを、織布状もしくはトリコット状のものとすれば、混合軽量土が極めて細かい粒状の合成樹脂発泡体を混入されたものであって、結合材料としての合成繊維や固化材料としてのセメント等は特には混入されていないものである場合でも、その混合軽量土を確実に保持することができ、しかも、その透水性合成繊維シートの保水機能および細かい目により、シート表面に種子を吹きつけるだけでそこに根を張らせ得るので、植生を可能にし得るとともに、その植物によって混合軽量土だけでなく透水性合成繊維シートそのものも日光による劣化に対し防護することができ、加えて、その透水性合成繊維シートの目の細かさにより、混合軽量土が固化材料としてセメントを混入されたものの場合に、混合軽量土をくるんでそのセメントを養生させ得て、セメントの十分強固なる固化をもたらすことができる。
【００１９】
また上記第１および第２の保持方法のいずれにおいても、前記透水性合成繊維シートを、グリッド状のものとすれば、混合軽量土が比較的粗い粉砕片状の合成樹脂発泡体を混入されたものの場合には、その混合軽量土を十分に保持することができ、しかも、その透水性合成繊維シートの目の粗さにより、植生をより容易にし得て、混合軽量土だけでなく透水性合成繊維シートそのものも日光による劣化に対し防護し得るとともに、透水性合成繊維シートを比較的軽量にし得て、盛土の軽量化と、施工時の取扱いの容易化とを達成することができる。
【００２０】
【実施例】
以下に、この発明の実施例を図面に基づき詳細に説明する。図１は、この発明の混合軽量土からなる盛土の保持方法の、前記第１の方法の基本的な手順を示す説明図であり、この第１の方法では、盛土１を施工する際に、その盛土１を形成するための、土砂に少なくとも合成樹脂発泡体の小片を混合した混合軽量土２の全部を透水性合成繊維シート（いわゆるジオテキスタイル）３でくるみ込むこととし、そのくるみ込みの施工の際には、先ず図１（ａ）に示すように、盛土を施す地盤４上に全体的に、あるいは先にその地盤４上に施工した、透水性合成繊維シート３でくるみ込んだ混合軽量土２上に全体的に、透水性合成繊維シート３を敷きつめ、次いでその敷きつめた透水性合成繊維シート３上に、混合軽量土２を盛る。
【００２１】
そしてこの方法では、上記透水性合成繊維シート３上に盛った混合軽量土２の周囲で透水性合成繊維シート３をその盛った混合軽量土２の周辺部を包むように折り返してから、図１（ａ）に示すように、ブルドーザー５等によってその盛った混合軽量土２を転圧し、その後に、図１（ｂ）に示すように、その転圧した混合軽量土２の表面を上記透水性合成繊維シート３の残りの部分で覆うことによって、その転圧した混合軽量土２を透水性合成繊維シート３でくるみ込む。
【００２２】
なお、上記くるみ込みは、一枚の大きな透水性合成繊維シート３で行っても良く、また、混合軽量土２の下に敷きつめることができるとともに混合軽量土２の周囲で折り返すことができる程度の広さを持った一枚のシート３と、混合軽量土２の表面を覆うことができる程度の広さを持ったもう一枚のシート３とを、混合軽量土２の転圧後に繋ぎ合わせて行っても良く、あるいは、さらに多くの枚数のシート３を適宜繋ぎ合わせて行っても良い。
【００２３】
図２は、この発明の混合軽量土からなる盛土の保持方法の、前記第１の方法の一実施例を示す説明図であり、この実施例の方法では、盛土１を形成する混合軽量土２の全部を、透水性合成繊維シート３により、複数段に分けて一段づつ順次にくるみ込むものとし、その各段のくるみ込みは上述の如くして行う。かかる実施例の方法によれば、盛土１が比較的高い場合でも、法面からの混合軽量土の崩落を防止し得てそのくるみ込みの施工を確実に行うことができる。
【００２４】
図３は、この発明の混合軽量土からなる盛土の保持方法の、前記第１の方法の他の一実施例を示す説明図であり、この実施例の方法では、盛土１を形成する混合軽量土２の全部を、透水性合成繊維シート３により、一段でくるみ込むものとし、このくるみ込みも上述のようにして行う。かかる実施例の方法によれば、盛土１が比較的低い場合に、くるみ込みの回数を減らし得てそのくるみ込みの施工を短時間で行うことができる。
【００２５】
そして上記第１の方法の二つの実施例のいずれによっても、盛土１を形成する混合軽量土２の全部を透水性合成繊維シート３でくるみ込むので、通常の土よりは極めて軽量であるその透水性合成繊維シート３の使用によって、混合軽量土２の、盛土１の法面からの崩落や、盛土１の表面からの飛散を確実に防止しつつ、盛土１の軽量化を達成することができる。
【００２６】
図４は、この発明の混合軽量土からなる盛土の保持方法の、前記第２の方法の一実施例を示す説明図であり、この実施例の方法では、盛土（埋戻しも含む）１を施工する際に、その盛土１に図示のように法面がある場合には少なくともその法面を形成する部分（図では左端部分）を含めて、盛土１を形成する混合軽量土２の全部でなく所要の部分だけを、透水性合成繊維シート（いわゆるジオテキスタイル）３で、複数段に分けて一段づつ順次にくるみ込むこととし、そのくるみ込みの施工の手順は、先に記したと第１の方法の場合と同様とする。
【００２７】
そしてこの実施例の方法では、上記くるみ込みを行う一方で、図４に示すように、盛土を施す地盤４上の残りの部分に混合軽量土２を盛って、その混合軽量土２をブルドーザー５等によって転圧する。かかる実施例の方法によれば、盛土１が比較的高い場合でも、法面からの混合軽量土の崩落を防止し得てそのくるみ込みの施工を確実に行うことができる。
【００２８】
なお、図示はしないが、上記透水性合成繊維シート３での混合軽量土２の一部のくるみ込みを、一段だけで行っても良く、かかる実施例の場合には、盛土１が比較的低い場合に、くるみ込みの回数を減らし得てそのくるみ込みの施工を短時間で行うことができる。
【００２９】
そして上記第２の方法の二つの実施例のいずれによっても、盛土１を形成する混合軽量土２の一部のみを透水性合成繊維シート３でくるみ込むことから、透水性合成繊維シート３の使用量を必要最小限とし得るので、盛土１に法面がある場合に少なくともその法面を形成している部分を含めて、透水性合成繊維シート３でくるみ込んだ部分の混合軽量土２の崩落や飛散を確実に防止しつつ、盛土１の軽量化を達成することができ、しかも、施工に要する材料費を少なく抑えることができる。
【００３０】
ところで、上記第１および第２の保持方法のいずれにおいても、透水性合成繊維シート３としては、極めて細かい目を持つ織布状あるいはトリコット状のシートや、10cm角程度までの比較的粗い目を持つグリッド状のシートの、いずれも使用可能であるが、透水性合成繊維シート３として織布状あるいはトリコット状のシートを使用すれば、混合軽量土２が極めて細かい粒状の合成樹脂発泡体を混入されたものであって、結合材料としての合成繊維や固化材料としてのセメント等は特には混入されていないものである場合でも、その混合軽量土２を確実に保持することができ、しかも、その透水性合成繊維シート３の保水機能および細かい目により、シート表面に種子を吹きつけるだけでそこに根を張らせ得るので、植生を可能にし得るとともに、その植物によって混合軽量土２だけでなくシート３そのものも日光による劣化に対し防護することができ、加えて、その透水性合成繊維シート３の目の細かさにより、混合軽量土２が固化材料としてセメントを混入されたものの場合に、混合軽量土２を空気と触れないようにくるんでそのセメントを養生させ得て、セメントの十分強固なる固化をもたらすこともできる。
【００３１】
また透水性合成繊維シート３としてグリッド状のシートを使用すれば、混合軽量土２が比較的粗い粉砕片状の合成樹脂発泡体を混入されたものの場合には、その混合軽量土２を十分に保持することができ、しかも、その透水性合成繊維シート３の目の粗さにより、植生をより容易にし得て、混合軽量土だけでなく透水性合成繊維シート３そのものも日光による劣化に対し防護し得るとともに、透水性合成繊維シート３を比較的軽量にし得て、盛土の軽量化と、施工時の取扱いの容易化とを達成することができる。
【００３２】
以上、図示例等に基づき説明したが、この発明は上述の例に限定されるものでなく、例えば、法面を形成する部分を含めて、盛土を形成する混合軽量土のうちの、盛土表面を形成するある程度の厚さの層状部分のみを、透水性合成繊維シートでくるみ込むこととしても良い。またこの発明は、図示しないが埋め戻しの場合にも適用し得ることはいうまでもない。
【００３３】
【発明の効果】
かくしてこの発明の混合軽量土からなる盛土の保持方法によれば、第１の方法に基づいて、前記盛土を形成する混合軽量土の全部を、透水性合成繊維シートでくるみ込む場合には、通常の土で覆うよりは極めて軽量となるその透水性合成繊維シートでの被覆によって、混合軽量土の盛土法面からの崩落や盛土表面からの飛散を確実に防止しつつ、盛土の軽量化を達成することができる。
【００３４】
そして前記盛土を形成する混合軽量土の全部を前記透水性合成繊維シートでくるみ込む際に、複数段に分けてくるみ込むこととすれば、盛土が高い場合でもそのくるみ込みの施工を確実に行うことができる。
【００３５】
また前記盛土を形成する混合軽量土の全部を前記透水性合成繊維シートでくるみ込む際に、一段でくるみ込むこととすれば、盛土が低い場合に、そのくるみ込みの施工を短時間で行うことができる。
【００３６】
一方、混合軽量土からなる盛土を施工する際に、前記第２の方法に基づいて、前記盛土に法面がある場合には少なくともその法面を形成する部分を含めて、前記盛土を形成する混合軽量土の一部を、透水性合成繊維シートでくるみ込む場合には、透水性合成繊維シートの使用量を必要最小限とし得るので、盛土に法面がある場合に少なくともその法面を形成している部分を含めて、透水性合成繊維シートでくるみ込んだ部分の混合軽量土の崩落や飛散を確実に防止しつつ、盛土の軽量化を達成することができ、しかも、施工に要する材料費を少なく抑えることができる。
【００３７】
そして前記盛土を形成する混合軽量土の一部を前記透水性合成繊維シートでくるみ込む際に、複数段に分けてくるみ込むこととすれば、盛土が高い場合でもそのくるみ込みの施工を確実に行うことができる。
【００３８】
また前記盛土を形成する混合軽量土の一部を前記透水性合成繊維シートでくるみ込む際に、一段でくるみ込むこととすれば、盛土が低い場合に、そのくるみ込みの施工を短時間で行うことができる。
【図面の簡単な説明】
【図１】この発明の混合軽量土からなる盛土の保持方法の、第１の方法の基本的な手順を示す説明図である。
【図２】上記第１の方法の一実施例を示す説明図である。
【図３】上記第１の方法の他の一実施例を示す説明図である。
【図４】この発明の混合軽量土からなる盛土の保持方法の、第２の方法の一実施例を示す説明図である。
【符号の説明】
１  盛土
２  混合軽量土
３  透水性合成繊維シート
４  地盤
５  ブルドーザー
【図１】
0003759778.tif 000002
【図２】
0003759778.tif 000003
【図３】
0003759778.tif 000004
【図４】
0003759778.tif 000005